(57)【要約】【課題】防食層を有する水域に立設された杭に対して、防食層の損傷を回避して所望の高さ位置に仮設足場を構築できる仮設足場および仮設足場の構築方法を提供する。【解決手段】複数の分割体３ａで構成された固定部材３と、固定部材３の内周側に設けられた複数の上側押圧部材４と、固定部材３に一端部が接合された複数の支持部材８と、それぞれの支持部材８に上端部が連結された支持脚９と、それぞれの支持脚９の下端部に設けられた下側押圧部材１０と、複数の支持部材８に支持される足場板１３とを有する仮設足場１を使用し、杭２０の外周に固定部材３を環状に巻装し、それぞれの上側押圧部材４およびそれぞれの下側押圧部材１０の内周面を杭２０の外周面に押し当て、防食層２１には非金属製の軟質の緩衝材５を押し当てた状態にすることで、杭２０に対して仮設足場１を固定する。【選択図】図２
2020180521.tif 000002
【特許請求の範囲】
【請求項１】
水域に立設された杭に固定される仮設足場において、
複数の分割体を連結して構成された前記杭の外周に巻装される環状の固定部材と、この固定部材の内周側に設けられた複数の上側押圧部材と、前記固定部材に一端部が固定されて前記杭を中心にして放射状に延在する複数の支持部材と、それぞれの前記支持部材に上端部が連結されて下方に延在する支持脚と、それぞれの前記支持脚の下端部に設けられた下側押圧部材と、複数の前記支持部材に支持される足場板とを備え、それぞれの前記上側押圧部材とそれぞれの前記下側押圧部材のうち、少なくともそれぞれの前記上側押圧部材が、前記杭の外周面に押し当てられる内周面に非金属製の軟質の緩衝材を有していることを特徴とする仮設足場。
【請求項２】
それぞれの前記下側押圧部材が前記緩衝材を有している請求項１に記載の仮設足場。
【請求項３】
前記固定部材および複数の前記上側押圧部材が一体化された巻装ユニットと、前記支持部材および前記支持脚および前記下側押圧部材が一体化された複数の張出し足場ユニットと、前記足場板とに分離可能である請求項１または２に記載の仮設足場。
【請求項４】
前記巻装ユニット、前記張出し足場ユニット、および前記足場板がそれぞれ１５ｋｇ以下である請求項３に記載の仮設足場。
【請求項５】
それぞれの前記支持脚の上端部が前記支持部材に上下方向に回転可能に連結されている請求項１〜４のいずれかに記載の仮設足場。
【請求項６】
前記上側押圧部材の前記内周面の位置を前記杭の軸心に対して近接および離反させる方向に進退移動させる移動機構を有している請求項１〜５のいずれかに記載の仮設足場。
【請求項７】
それぞれの前記支持脚が脚長を可変にする構造である請求項１〜６のいずれかに記載の仮設足場。
【請求項８】
外周面の所定の上下範囲に防食層を有して、水域に立設された杭に、仮設足場を構築する仮設足場の構築方法において、
複数の分割体を連結して構成された環状の固定部材と、この固定部材の内周側に設けられた複数の上側押圧部材と、前記固定部材に一端部が固定されて前記杭を中心にして放射状に延在する複数の支持部材と、それぞれの前記支持部材に上端部が連結されて下方に延在する支持脚と、それぞれの前記支持脚の下端部に設けられた下側押圧部材と、前記支持部材に支持される足場板とを有し、それぞれの前記上側押圧部材とそれぞれの前記下側押圧部材のうち、少なくともそれぞれの前記上側押圧部材が、前記杭の外周面に押し当てられる内周面に非金属製の軟質の緩衝材を有している前記仮設足場を使用し、
前記杭の外周に前記固定部材を環状に巻装して、それぞれの前記上側押圧部材およびそれぞれの前記下側押圧部材を前記杭の外周面に押し当て、前記防食層にはそれぞれの前記緩衝材を押し当てた状態にすることで、前記杭に対して前記仮設足場を固定することを特徴とする仮設足場の構築方法。
【請求項９】
それぞれの前記下側押圧部材の内周面に設けられている前記緩衝材を、前記防食層に押し当てた状態にする請求項８に記載の仮設足場の構築方法。
【請求項１０】
それぞれの前記下側押圧部材の内周面を、前記防食層よりも下方の前記杭の外周面に押し当てた状態にする請求項８に記載の仮設足場の構築方法。
【請求項１１】
前記固定部材と複数の前記上側押圧部材とが予め一体化されている巻装ユニットを前記杭に巻装して固定し、次いで、前記巻装ユニットに前記支持部材と前記支持脚と前記下側押圧部材とが予め一体化された複数の張出し足場ユニットを固定し、次いで、前記複数の張出し足場ユニットに前記足場板を固定する請求項８〜１０のいずれかに記載の仮設足場の構築方法。
【請求項１２】
前記杭に構築し終えた前記仮設足場を使用して、その前記仮設足場よりも高い位置に別の前記仮設足場を構築する請求項８〜１１のいずれかに記載の仮設足場の構築方法。
【請求項１３】
複数の前記杭にそれぞれ前記仮設足場を固定し、隣り合う前記仮設足場どうしの間に連結足場板を架け渡す請求項８〜１２のいずれかに記載の仮設足場の構築方法。
【発明の詳細な説明】
【技術分野】
【０００１】
本発明は、仮設足場および仮設足場の構築方法に関し、さらに詳しくは、防食層を有する水域に立設された杭に対して、防食層の損傷を回避して所望の高さ位置に仮設足場を構築できる仮設足場および仮設足場の構築方法に関するものである。
【背景技術】
【０００２】
桟橋などの水上構造物は、水域に立設された複数の杭の上端部にコンクリート製の上部構造体を支持させた構造になっている。上部構造体の下面や、上部構造体と杭との接合部分などの補修作業を行う場合には、上部構造体の下面と水面との間に仮設足場を構築する必要がある。そこで、従来、杭に設置する種々の仮設足場が提案されている（例えば、特許文献１参照）。
【０００３】
特許文献１に記載の発明では、杭の外周に杭側固定体を巻き付けて固定する。次いで、浮体により水面を移動する足場ユニットに設けられている固定部材本体を杭側固定体の外側に巻き付けて、固定部材本体の両端部を連結し、杭側固定体の楔部と固定部材本体の係合溝とを互いに嵌合させて、足場板の基端側を杭の外周に固定する。次いで、可動リングを杭の外側に上下動可能に嵌合させ、その後、展開手段により可動リングを上昇させるとともに折り畳まれていた足場板を水平になる位置まで展開させる。そして、可動リングを杭に固定すると仮設足場の設置が完了する。
【０００４】
一般的に、水域に立設されている杭には、水面付近から上部構造体の下面の高さ位置にまで海水による杭の腐食を防止するための防食層が設けられている。防食層は合成樹脂等で形成されているため比較的損傷しやすいが、特許文献１に記載の発明では、防食層の損傷を回避する対策は考慮されていない。それ故、防食層に仮設足場を設置した場合に、防食層を損傷させてしまう恐れがある。そのため、仮設足場を設置できる位置は、防食層を避けた水面付近の位置に限定され、仮設足場を所望の高さ位置に設置できない場合がある。
【０００５】
また、特許文献１に記載の発明では、足場ユニットの重量が重いため、足場ユニットを浮体によって水面に浮かせて移動させているが、この方法では、仮設足場を水面から離れた杭の高い位置に構築することは困難である。それ故、例えば、水面から上部構造体の下面までの高さが高い場合には、作業員が上部構造体の下面に届く高さに仮設足場を構築できない場合がある。また、特許文献１に記載の杭側固定体と固定部材本体とを連結する作業は、波やうねりの影響を大きく受けるため、作業性が悪い。
【先行技術文献】
【特許文献】
【０００６】
【特許文献１】特開２０１７−５７６１５号公報
【発明の概要】
【発明が解決しようとする課題】
【０００７】
本発明の目的は、防食層を有する水域に立設された杭に対して、防食層の損傷を回避して所望の高さ位置に仮設足場を構築できる仮設足場および仮設足場の構築方法を提供することにある。
【課題を解決するための手段】
【０００８】
上記目的を達成するため本発明の仮設足場は、水域に立設された杭に固定される仮設足場において、複数の分割体を連結して構成された前記杭の外周に巻装される環状の固定部材と、この固定部材の内周側に設けられた複数の上側押圧部材と、前記固定部材に一端部が固定されて前記杭を中心にして放射状に延在する複数の支持部材と、それぞれの前記支持部材に上端部が連結されて下方に延在する支持脚と、それぞれの前記支持脚の下端部に設けられた下側押圧部材と、複数の前記支持部材に支持される足場板とを備え、それぞれの前記上側押圧部材とそれぞれの前記下側押圧部材のうち、少なくともそれぞれの前記上側押圧部材が、前記杭の外周面に押し当てられる内周面に非金属製の軟質の緩衝材を有していることを特徴とする。
【０００９】
本発明の仮設足場の構築方法は、外周面の所定の上下範囲に防食層を有して、水域に立設された杭に、仮設足場を構築する仮設足場の構築方法において、複数の分割体を連結して構成された環状の固定部材と、この固定部材の内周側に設けられた複数の上側押圧部材と、前記固定部材に一端部が固定されて前記杭を中心にして放射状に延在する複数の支持部材と、それぞれの前記支持部材に上端部が連結されて下方に延在する支持脚と、それぞれの前記支持脚の下端部に設けられた下側押圧部材と、前記支持部材に支持される足場板とを有し、それぞれの前記上側押圧部材とそれぞれの前記下側押圧部材のうち、少なくともそれぞれの前記上側押圧部材が、前記杭の外周面に押し当てられる内周面に非金属製の軟質の緩衝材を有している前記仮設足場を使用し、前記杭の外周に前記固定部材を環状に巻装して、それぞれの前記上側押圧部材およびそれぞれの前記下側押圧部材を前記杭の外周面に押し当て、前記防食層にはそれぞれの前記緩衝材を押し当てた状態にすることで、前記杭に対して前記仮設足場を固定することを特徴とする。
【発明の効果】
【００１０】
本発明によれば、仮設足場の固定部材を杭の外周に環状に巻装して、それぞれの上側押圧部材およびそれぞれの下側押圧部材を杭の外周面に押し当て、防食層には非金属製の軟質の緩衝材を押し当てた状態にする。これにより、杭の防食層が設けられている位置においても、防食層の損傷を回避しつつ、仮設足場を安定して固定できる。
【図面の簡単な説明】
【００１１】
【図１】本発明の仮設足場の実施形態において、仮設足場を杭に構築した状態を上面視で例示する説明図である。
【図２】図１のＡ−Ａ断面矢視図である。
【図３】図１の仮設足場の巻装ユニットのみを杭に巻装した状態を上面視で例示する説明図である。
【図４】図３のＢ−Ｂ断面矢視図である。
【図５】図３の巻装ユニットに張出し足場ユニットを取付けた状態を上面視で例示する説明図である。
【図６】図１の仮設足場を上下方向に複数設置した状態を断面視で例示する説明図である。
【図７】図１の仮設足場どうしの間に連結足場板を架け渡した状態を上面視で例示する説明図である。
【図８】巻装ユニットを変更した図１の仮設足場を図１の杭とは杭径が異なる別の杭に構築した状態を上面視で例示する説明図である。
【図９】本発明の仮設足場の別の実施形態を上面視で例示する説明図である。
【図１０】図９のＥ−Ｅ断面矢視図である。
【発明を実施するための形態】
【００１２】
以下、本発明の仮設足場および仮設足場の構築方法を図に示した実施形態に基づいて説明する。
【００１３】
図１および図２に例示するように、本発明の仮設足場１は、水域に立設されている鋼管杭などの杭２０に固定して設置する。一般的に、水域に立設されている杭２０は、水面付近の所定の上下範囲に、海水による杭２０の腐食を防止する防食層２１が設けられている。防食層２１としては例えば、杭２０にポリエチレンやポリウレタンなどの合成樹脂を塗装したものや、杭２０に巻き付けたペトロラタム系防食テープを繊維強化プラスチック（ＦＲＰ）製のカバーで被覆したものなどがある。本発明の仮設足場１は、防食層２１を有する杭２０に固定するのに特に適した仕様になっている。
【００１４】
仮設足場１は、杭２０の外周に巻装される環状の固定部材３と、固定部材３の内周側に設けられた複数の上側押圧部材４と、固定部材３に一端部が固定される複数の支持部材８と、それぞれの支持部材８に上端部が連結されて下方に延在する支持脚９と、それぞれの支持脚９の下端部に設けられた下側押圧部材１０と、複数の支持部材８に支持される足場板１３とを備えている。
【００１５】
この実施形態の仮設足場１は、固定部材３および複数の上側押圧部材４が一体化された巻装ユニット２と、支持部材８および支持脚９および下側押圧部材１０が一体化された複数の張出し足場ユニット７と、複数の足場板１３とに分離可能な構成になっている。
【００１６】
本発明の仮設足場１では、それぞれの上側押圧部材４とそれぞれの下側押圧部材１０のうち、少なくともそれぞれの上側押圧部材４が、杭２０の外周面に押し当てられる内周面に非金属製の軟質の緩衝材５を有している。緩衝材５には例えば、ゴムや軟質樹脂などの中実体や発泡体を用いる。緩衝材５は、一般的なゴムと同等以下の硬度にするとよい。緩衝材５の杭２０に対する押圧面には、防食層２１に対してより摩擦抵抗を大きくする加工や処理をするとよい。
【００１７】
固定部材３は、複数の分割体３ａを連結して構成されている。この実施形態の固定部材３は、６つの分割体３ａで構成されていて、隣り合う分割体３ａの端部どうしがヒンジ部３ｂで連結されている。固定部材３の両端部（両端に配置された分割体３ａの端部）には、それぞれ連結部３ｃが設けられていて、連結部３ｃどうしを連結具３ｄで着脱可能に連結できる構造になっている。この実施形態では、一続きの固定部材３としているが、例えば、固定部材３が複数のパーツに分離可能な構成にすることもできる。
【００１８】
図１に例示するように、この実施形態の仮設足場１は、連結部３ｃどうしを連結して固定部材３を杭２０に巻装した状態で、杭２０の軸心Ｃを中心にして水平方向に６０度ずつ固定角度を変えて放射状に延在する６つの上側押圧部材４を有している。それぞれの上側押圧部材４の外周側は固定部材３の内周側に接合されていて、杭２０の外周面に押し当てられるそれぞれの上側押圧部材４の内周面に緩衝材５が設けられている。
【００１９】
支持部材８は、板状の部材で構成されている。図１に例示するように、杭２０に巻装した固定部材３に支持部材８を固定した状態にすると、複数の支持部材８が、杭２０を中心にして放射状に略水平方向に延在した状態になる。この実施形態では、杭２０の軸心Ｃを中心にして固定部材３の外周側に水平方向に６０度ずつ固定角度を変えて６つの支持部材８が固定可能な構造になっている。
【００２０】
この実施形態では、固定部材３に支持部材８を上側係合具６によって固定する構成になっている。それぞれの分割体３ａとそれぞれの支持部材８には２ヶ所ずつ上側係合具６を挿入する挿入孔が形成されている。図２に例示するように、上側係合具６は、固定部材３と支持部材８とを連結した状態で、上側係合具６の下部が支持部材８の下方にまで突出した状態となり、その突出した上側係合具６の下部に連結部材１２の上端部を連結できる構造になっている。それぞれの支持部材８には、さらに、支持部材８に対して足場板１３を固定する固定具１３ａを挿入可能な挿入孔８ａが複数形成されている。この実施形態では挿入孔８ａとして、支持部材８の長手方向に延在する長孔が形成されている。
【００２１】
それぞれの支持脚９は、支持部材８の幅方向に離間して配置された一対の棒状材で構成されていて、それぞれの棒状材の上端部が支持部材８の他端部の側面に連結具９ａによって上下方向に回転可能に連結されている。図２に例示するように、連結具９ａによる締付を弱めると支持部材８と支持脚９とがなす角度Ｄを変更でき、連結具９ａによる締付を強めると支持部材８に対して支持脚９を固定できる構造になっている。それぞれの支持脚９は、支持部材８の他端部から杭２０に向かって斜め下方向に延在した状態で支持部材８に対して固定される。
【００２２】
それぞれの下側押圧部材１０は、支持脚９の下端部に連結具１０ａによって上下方向に回転可能に連結されている。連結具１０ａによる締付を弱めると支持脚９に対する下側押圧部材１０の固定角度を変更でき、連結具１０ａによる締付を強めると支持脚９に対して下側押圧部材１０を固定できる構造になっている。この実施形態では、杭２０の外周面に押し当てられるそれぞれの下側押圧部材１０の内周面に緩衝材５が設けられている。     
【００２３】
この実施形態では、それぞれの下側押圧部材１０の上部に下側係合具１１が設けられていて、それぞれの下側係合具１１は、連結部材１２の下端部を連結できる構造になっている。連結部材１２は例えばワイヤロープや樹脂製のロープなどで構成される。それぞれの連結部材１２は、それぞれの支持部材８と支持脚９とのなす角度Ｄが所定の一定角度になるように、予め長さが調整されている。上側係合具６と下側係合具１１は、杭２０に仮設足場１を固定した状態で、それぞれの上側係合具６の真下にそれぞれ下側係合具１１が位置するように配置されている。この実施形態では、下側係合具１１を下側押圧部材１０の上部に固定しているが、例えば、下側係合具１１を連結具１０ａや支持脚９の下端部に固定した構成にすることもできる。
【００２４】
この実施形態では、張出し足場ユニット７に、下側係合具１１と連結部材１２とが予め一体化されている。この実施形態の仮設足場１は、張出し足場ユニット７を６組有している。
【００２５】
この実施形態では、周方向に隣り合う支持部材８どうしの間にそれぞれ上面視台形状の足場板１３を架け渡して、足場板１３の両端部をそれぞれ別々の支持部材８に固定具１３ａで固定する構造になっている。この実施形態の仮設足場１は、足場板１３を６枚有している。
【００２６】
上述した固定部材３、上側押圧部材４、支持部材８、支持脚９、下側押圧部材１０、および足場板１３は、それぞれ軽量で耐久性に優れたアルミニウム合金などの軽量金属や、繊維強化プラスチックなどで形成するとよい。巻装ユニット２、張出し足場ユニット７、および足場板１３はそれぞれ、１人或いは２人の作業者が人力で持ち上げることが可能な重量、具体的には例えば１５ｋｇ以下にすることが可能である。巻装ユニット２、張出し足場ユニット７、および足場板１３はそれぞれ水に浮く密度で形成することが可能であり、巻装ユニット２、張出し足場ユニット７、および足場板１３が落水した場合にも容易に回収できる。例えば、巻装ユニット２、張出し足場ユニット７、および足場板１３の密度を高くする場合には、巻装ユニット２、張出し足場ユニット７、および足場板１３に水に浮かぶフロート材を付設することもできる。
【００２７】
次に、仮設足場１を使用して水域に立設された杭２０に仮設足場を構築する方法を説明する。この実施形態では、杭２０の上端部に構築されている上部構造体２２の下面と水面との間に仮設足場１を設置する。
【００２８】
小型船や筏などを使用して、仮設足場１を構成する巻装ユニット２と、複数の張出し足場ユニット７と、複数の足場板１３とを杭２０の近傍まで移送する。次いで、図３および図４に例示するように、巻装ユニット２を所望の高さ位置で杭２０の外周に巻装して固定する。
【００２９】
具体的には、固定部材３を所望の高さ位置で杭２０に外嵌めし、固定部材３の連結部３ｃどうしを連結具３ｄで連結することで、杭２０の外周に固定部材３を巻装する。杭２０の外周に固定部材３を巻装すると、それぞれの上側押圧部材４に設けられている緩衝材５が、杭２０の外周面に密着した状態になる。この実施形態では、それぞれの上側押圧部材４に設けられている緩衝材５をそれぞれ杭２０の防食層２１に当接させている。複数の上側押圧部材４がそれぞれ杭２０の軸心Ｃに向かって杭２０の外周面を押圧することで、複数の上側押圧部材４によって杭２０が挟持され、杭２０に対して巻装ユニット２が安定して固定された状態になる。
【００３０】
次いで、図５に例示するように、杭２０に固定された巻装ユニット２に、それぞれの張出し足場ユニット７を固定する。具体的には、支持部材８を持ち上げた状態で、支持部材８の一端部を固定部材３に上側係合具６を用いて固定する。このとき、支持部材８と支持脚９とを連結する連結具９ａによる締付は緩めた状態にし、支持脚９と下側押圧部材１０は小型船や筏の上に置いた状態にするとよい。次いで、図１および図２に例示するように、下側押圧部材１０を持ち上げて、下側係合具１１に下端部が連結された状態の連結部材１２の上端部を上方に位置する上側係合具６の下部に連結し、下側押圧部材１０の内周面を杭２０の外周面に押し当てた状態にする。そして、支持部材８と支持脚９とを連結する連結具９ａによる締付を強めて、支持部材８に対して支持脚９を固定する。この実施形態では、それぞれの下側押圧部材１０の内周面に設けられている緩衝材５をそれぞれ杭２０の防食層２１に当接させている。
【００３１】
巻装ユニット２にすべての張出し足場ユニット７を固定し終えると、固定部材３に支持部材８の一端部が固定されるとともに、複数の下側押圧部材１０がそれぞれ杭２０の軸心Ｃに向かって杭２０の外周面を押圧することで、複数の下側押圧部材１０によって杭２０が挟持され、杭２０に対して張出し足場ユニット７が安定して固定された状態になる。
【００３２】
次いで、図１および図２に例示するように、杭２０の周方向に隣り合う支持部材８どうしの間に足場板１３を架け渡して、足場板１３の両端部をそれぞれ別々の支持部材８に固定具１３ａで固定する。すべての足場板１３を固定し終えると、上面視で固定部材３の外周側に環状に連続して足場板１３が配置された状態になる。以上により、仮設足場１の設置作業が完了する。このように、杭２０に仮設足場１を固定することで、水上における杭２０の周囲に作業員が搭乗可能な仮設足場が構築される。この仮設足場１では、緩衝材５のみが防食層２１に接触した状態になる。
【００３３】
図６に例示するように、例えば、杭２０に構築し終えた仮設足場１を使用して、その仮設足場１よりも高い位置に別の仮設足場１を構築することもできる。小型船や筏から巻装ユニット２、張出し足場ユニット７、および足場板１３を杭２０に固定し終えている仮設足場１の上に持ち上げて載置し、その仮設足場１の上で同様に別の仮設足場１の設置作業を行うことができる。図６では、上下方向に２層の仮設足場１を構築する場合を例示しているが、３層以上の仮設足場１を構築することも可能である。例えば、上下に設置した仮設足場１どうしの間に梯子などを架けることもできる。
【００３４】
図７に例示するように、複数の杭２０にそれぞれ仮設足場１を固定し、隣り合う仮設足場１どうしの間に連結足場板１７を架け渡すことで、杭２０どうしの間に仮設足場を構築することもできる。連結足場板１７は、板状材や網状材で構成される。連結足場板１７は、軽量で耐久性に優れたアルミニウム合金などの軽量金属や、繊維強化プラスチックなどで形成するとよい。
【００３５】
仮設足場１は設置作業と逆の手順で撤去することができる。具体的には、連結足場板１７を取外す。次いで、それぞれの足場板１３を支持部材８から取外す。次いで、上側係合具６と連結部材１２との連結を解除し、上側係合具６による固定部材３に対する支持部材８の固定を解除して、それぞれの張出し足場ユニット７を巻装ユニット２から取外す。次いで、連結具３ｄによる固定部材３の連結部３ｃの連結を解除して、杭２０から巻装ユニット２を取外す。以上により仮設足場１の撤去が完了する。
【００３６】
このように、本発明によれば、仮設足場１の固定部材３を杭２０の外周に環状に巻装して、それぞれの上側押圧部材４およびそれぞれの下側押圧部材１０を杭２０の外周面に押し当て、防食層２１には非金属製の軟質の緩衝材５を押し当てた状態にする。これにより、杭２０の防食層２１が設けられている位置においても、防食層２１の損傷を回避しつつ、仮設足場１を安定して固定できる。
【００３７】
さらに、緩衝材５を設けることで、杭２０の外周面に歪みや凹凸がある場合にも、緩衝材５が杭２０の外周面の形状に合わせて変形して杭２０の外周面に緩衝材５が密着した状態になる。それ故、それぞれの上側押圧部材４とそれぞれの下側押圧部材１０による押圧力が局部に集中することなく、杭２０に対して均一に押圧力を加えることができる。これにより、杭２０に対して仮設足場１を安定して固定しつつ、防食層２１が損傷するリスクを低減できる。
【００３８】
このように、従来では、防食層２１の損傷を回避するために、仮設足場を杭２０の防食層２１を避けた水中部に潜水士によって固定するなどの対策がとられていたが、本発明では従来と発想を変えて、仮設足場１を防食層２１に固定するのに適した仕様にすることで、防食層２１の損傷を回避しつつ、仮設足場１を防食層２１に固定することを可能にしている。これにより、本発明では、仮設足場１を固定可能な高さ位置が限定されないため、杭２０の所望の高さ位置に仮設足場１を構築することが可能となる。
【００３９】
この実施形態のように、仮設足場１が、固定部材３および複数の上側押圧部材４が一体化された巻装ユニット２と、支持部材８および支持脚９および下側押圧部材１０が一体化された複数の張出し足場ユニット７と、足場板１３とに分離可能な構成にすると、巻装ユニット２、張出し足場ユニット７、および足場板１３をそれぞれ１人或いは２人の少人数の作業者で持ち上げることが可能な重量（例えば、１５ｋｇ以下）にすることができる。それ故、巻装ユニット２を杭２０に巻装して固定し、次いで、巻装ユニット２に複数の張出し足場ユニット７を固定し、次いで、複数の張出し足場ユニット７に足場板１３を固定することで、仮設足場１を少人数で容易に構築することができる。
【００４０】
また、例えば、仮設足場１の構成部材をより細かく分離した状態で水域において構成部材どうしを組み立ててもよいが、この実施形態のように、予め巻装ユニット２と張出し足場ユニット７を形成しておくと、水域において少ない工数でより容易に仮設足場１を構築できる。撤去作業も少ない工数で容易に行えるので、非常に利便性が高くなる。
【００４１】
さらに、巻装ユニット２、張出し足場ユニット７、および足場板１３に分けてそれぞれ作業者が人力で持ち上げられる１５ｋｇ以下の重量にすると、図６に例示するように、杭２０に構築し終えた仮設足場１を使用して、その仮設足場１よりも高い位置に別の仮設足場１を構築することが可能となる。それ故、例えば、水面から上部構造体２２の下面までの高さが高い場合にも、仮設足場１を上下方向に複数設置することで、作業員が上部構造体２２の下面に届く高さに仮設足場１を構築することが可能となる。
【００４２】
この実施形態のように、上側係合具６、下側係合具１１、および連結部材１２を設けると、杭２０に固定された巻装ユニット２に対して張出し足場ユニット７を固定する際に、上側係合具６と下側係合具１１とを連結部材１２で連結した状態にすることで、下側押圧部材１０や支持脚９の荷重を固定部材３に支持させた状態にできる。これにより、巻装ユニット２に対する張出し足場ユニット７の固定作業を少人数の作業員でより行ない易くなる。また、仮設足場１を構築し終えた状態では、上側係合具６、下側係合具１１、および連結部材１２により、支持脚９の下端部にかかる荷重が固定部材３に支持された状態になる。それ故、支持脚９の上端部と支持部材８との連結部分にかかる負荷を低減でき、固定部材３および支持部材８に対して支持脚９および下側押圧部材１０をより安定して固定できる。なお、上側係合具６、下側係合具１１、および連結部材１２は任意で設けることができる。
【００４３】
この実施形態のように、支持部材８に挿入孔８ａとして長孔を形成した構成にすると、支持部材８に対する足場板１３の固定位置を支持部材８の長手方向に変更することが可能となる。これにより、図８に例示するように、杭径が異なる杭２０に対しても、巻装ユニット２を杭径に応じた別の巻装ユニット２に交換するだけで、同じ張出し足場ユニット７および足場板１３を使用して、様々な杭径の杭２０に仮設足場１を構築することが可能となる。それ故、支持部材８に挿入孔８ａとして丸孔を形成する場合よりも、仮設足場１の利便性をより高くできる。
【００４４】
図９および図１０に本発明の仮設足場１の別の実施形態を例示する。
【００４５】
この実施形態の仮設足場１は、それぞれの上側押圧部材４の内周面の位置を杭２０の軸心Ｃに対して近接および離反させる方向に進退移動させる移動機構１４を有している。それぞれの下側押圧部材１０にも同様に移動機構１４が設けられている。さらに、それぞれの支持脚９が脚長を可変にする構造になっている。その他の構成は先に例示した実施形態の仮設足場１と同じである。
【００４６】
図９および図１０に例示するように、それぞれの上側押圧部材４に設けられている移動機構１４は、固定部材３に設けられたボルト孔１５と、そのボルト孔１５に螺合して固定部材３と上側押圧部材４とを連結する調整ボルト１６とで構成されている。調整ボルト１６の先端部に上側押圧部材４の外周側端部が接合されていて、調整ボルト１６の長手方向の中途部分が固定部材３のボルト孔１５に嵌め込まれている。調整ボルト１６を回転させることで、上側押圧部材４の内周面の位置を杭２０の軸心Ｃに対して近接および離反させる方向に進退移動させることができる。
【００４７】
図１０に例示するように、この実施形態のそれぞれの下側押圧部材１０は、支持脚９の下端部に連結された第一部材１０ｂと、杭２０の外周面に押し当てられる第二部材１０ｃで構成されている。それぞれの下側押圧部材１０に設けられている移動機構１４は、第一部材１０ｂに設けられたボルト孔１５と、そのボルト孔１５に螺合して第一部材１０ｂと第二部材１０ｃとを連結する調整ボルト１６で構成されている。調整ボルト１６の先端部に第二部材１０ｃの外周側端部が接合されていて、調整ボルト１６の長手方向の中途部分が第一部材１０ｂのボルト孔１５に嵌め込まれている。調整ボルト１６を回転させることで、下側押圧部材１０（第二部材１０ｃ）の内周面の位置を杭２０の軸心Ｃに対して近接および離反させる方向に進退移動させることができる。
【００４８】
それぞれの支持脚９は、２つの筒状の分割部材が長手方向に相対移動可能に接続されたテレスコピック構造になっている。支持部材８に連結されている分割部材に対して、下側押圧部材１０が連結されている分割部材を相対移動させて分割部材どうしの固定位置を変更することで、支持脚９の脚長を変更できる。
【００４９】
この実施形態の仮設足場１を使用した仮設足場の構築方法は先に示した実施形態と概ね同じである。図１０に例示するように、この実施形態では、仮設足場１のそれぞれの下側押圧部材１０の内周面を、杭２０に設けられている防食層２１よりも下方の杭２０の外周面に押し当てている。防食層２１には上側押圧部材４に設けられている緩衝材５のみを接触させた状態にしている。
【００５０】
このように、下側押圧部材１０の内周面を防食層２１よりも下方の杭２０の外周面に押し当てると、下側押圧部材１０を防食層２１に押し当てる場合よりも、下側押圧部材１０を杭２０の外周面により強く押し当てることが可能となる。それ故、仮設足場１を杭２０に安定して固定するにはより有利になる。この実施形態では、下側押圧部材１０が緩衝材５を有する場合を例示しているが、下側押圧部材１０を防食層２１ではない位置に押し当てる場合には、下側押圧部材１０の内周面に緩衝材５を有さない構成にすることもできる。
【００５１】
この実施形態のように仮設足場１が移動機構１４を有していると、杭２０の外径に合わせて、移動機構１４によりそれぞれの上側押圧部材４とそれぞれの下側押圧部材１０の内周面の位置を進退移動させて調整することで、同じ巻装ユニット２を使用して、仮設足場１を様々な外径の杭２０に固定することが可能になる。
【００５２】
また、移動機構１４を設けると、固定部材３を杭２０の外周に巻装した状態で、移動機構１４によりそれぞれの上側押圧部材４とそれぞれの下側押圧部材１０の内周面の位置を進退移動させて調整することで、杭２０に対するそれぞれの上側押圧部材４とそれぞれの下側押圧部材１０の押し当て具合（密着度合いや押圧力など）を調整できる。それ故、例えば、図１０に例示するように上側押圧部材４を押し当てる防食層２１と下側押圧部材１０を押し当てる杭２０の外周面との間に段差がある場合や、杭２０の外周面に凹凸がある場合などにも、杭２０に対して仮設足場１をより安定して固定できる。移動機構１４の構造はこの実施形態に限定されず、異なる構造にすることもできる。
【００５３】
仮設足場１を、それぞれの支持脚９の上端部が支持部材８に上下方向に回転可能に連結されている構造にすると、支持部材８と支持脚９とがなす角度Ｄを変更することで、下側押圧部材１０の上下方向および水平方向の固定位置を変更することが可能となる。また、それぞれの支持脚９が脚長を可変にする構造にすると、支持脚９の脚長を変更することで、下側押圧部材１０の上下方向および水平方向の固定位置を変更することが可能となる。それぞれの下側押圧部材１０が支持脚９の下端部に上下方向に回転可能に連結されている構造にすると、支持部材８と支持脚９とがなす角度Ｄを変更した場合にも、下側押圧部材１０の固定角度を下側押圧部材１０の内周面を杭２０の外周面に押し当てる適切な角度に調整することが可能となる。
【００５４】
この実施形態の仮設足場１では、支持部材８と支持脚９とがなす角度Ｄや、支持脚９の脚長、支持脚９に対する下側押圧部材１０の固定角度を変更することで、それぞれの下側押圧部材１０を押し当てる位置を杭２０の所望の高さ位置に設定できる。それ故、それぞれの下側押圧部材１０を押し当てる位置を、杭２０の防食層２１ではない位置や防食層２１の劣化が進んでいない位置に設定することで、防食層２１の損傷を回避するにはより有利になる。
【００５５】
なお、本発明では、例えば、固定部材３、上側押圧部材４、支持部材８、支持脚９、下側押圧部材１０、および一部の足場板１３を予め一体化した大組ユニットにした状態で、固定部材３を杭２０に巻装することで、杭２０に仮設足場１を一括設置する構成にすることもできる。この場合には、大組ユニットの重量は重くなるが、仮設足場１の設置作業や撤去作業に要する作業工数を少なくするには有利になる。
【００５６】
上述した実施形態では、横断面視で外周形状が円形状の杭２０に固定する場合の仮設足場１を例示したが、仮設足場１は、上側押圧部材４や下側押圧部材１０の内周面の位置を杭２０の外周形状に合わせて適宜設定することで、例えば、横断面視で外周形状が多角形状の杭２０に固定する仕様にすることもできる。
【００５７】
固定部材３、上側押圧部材４、上側係合具６、支持部材８、支持脚９、下側押圧部材１０、下側係合具１１、連結部材１２、および足場板１３のそれぞれの形状や構造、数、配置などはこの実施形態に限定されず、異なる構成にすることもできる。例えば、固定部材３は、５つ以下の分割体３ａで構成することもできるし、７つ以上の分割体３ａで構成することもできる。
【００５８】
また、固定部材３の連結部３ｃどうしの連結構造や、固定部材３と支持部材８との連結構造、支持部材８と支持脚９との連結構造、支持脚９と下側押圧部材１０との連結構造なども上述した実施形態に限定されず、異なる構成にすることもできる。例えば、支持脚９の上端部が支持部材８に接合されている構造にすることもできる。
【符号の説明】
【００５９】
１  仮設足場
２  巻装ユニット
３  固定部材
３ａ  分割体
３ｂ  ヒンジ部
３ｃ  連結部
３ｄ  連結具
４  上側押圧部材
５  緩衝材
６  上側係合具
７  張出し足場ユニット
８  支持部材
８ａ  挿入孔
９  支持脚
９ａ  連結具
１０  下側押圧部材
１０ａ  連結具
１０ｂ  第一部材
１０ｃ  第二部材
１１  下側係合具
１２  連結部材
１３  足場板
１３ａ  固定具
１４  移動機構
１５  ボルト孔
１６  調整ボルト
１７  連結足場板
２０  杭
２１  防食層
２２  上部構造体
Ｃ  杭の軸心
ＷＬ  水面位置
【図１】
2020180521.tif 000003
【図２】
2020180521.tif 000004
【図３】
2020180521.tif 000005
【図４】
2020180521.tif 000006
【図５】
2020180521.tif 000007
【図６】
2020180521.tif 000008
【図７】
2020180521.tif 000009
【図８】
2020180521.tif 000010
【図９】
2020180521.tif 000011
【図１０】
2020180521.tif 000012